(57)【要約】【課題】より簡素な構成で冗長性を確保する。【解決手段】実施形態による送信システムは、一例として、複数の入力部と、複数の出力部と、複数の分配部と、複数の増幅部と、切替部とを備える。複数の分配部は、複数の入力部に入力される複数の入力信号の各々を複数の出力ラインに分配して出力するように構成されている。複数の増幅部は、複数の出力ライン上にそれぞれ設けられている。切替部は、複数の入力信号のうちの１つの第１入力信号に対応する複数の第１出力ライン上にそれぞれ設けられた複数の第１増幅部に異常が発生した場合に、第１入力信号が、第１入力信号以外の第２入力信号に対応する複数の第２出力ラインのうちの少なくとも１つに設けられた第２増幅部を介して、複数の出力部のうち、第１入力信号に対応する第１出力信号を出力する第１出力部に入力されるように、出力ラインを切り替えることが可能なように構成されている。【選択図】図１
2015231122.tif 000002
【特許請求の範囲】
【請求項１】
複数の入力信号がそれぞれ入力される複数の入力部と、
前記複数の入力信号に対応する複数の出力信号をそれぞれ出力する複数の出力部と、
前記入力部と前記出力部との間に設けられ、前記複数の入力信号の各々を複数の出力ラインに分配して出力する複数の分配部と、
前記分配部と前記出力部との間に設けられ、前記複数の出力ライン上にそれぞれ設けられた複数の増幅部と、
前記複数の入力信号のうちの１つの第１入力信号に対応する複数の第１出力ライン上にそれぞれ設けられた複数の第１増幅部に異常が発生した場合に、前記第１入力信号が、前記第１入力信号以外の第２入力信号に対応する複数の第２出力ラインのうちの少なくとも１つに設けられた第２増幅部を介して、前記第１入力信号に対応する第１出力信号を出力する第１出力部に入力されるように、前記出力ラインを切り替えることが可能な切替部とを備える、送信システム。
【請求項２】
前記切替部は、前記分配部と前記増幅部との間に設けられ、前記複数の第１増幅部に異常が発生した場合に、前記第１入力信号が前記第２増幅部に入力されるように前記出力ラインを切り替えることが可能な第１切替部と、前記増幅部と前記出力部との間に設けられ、前記複数の第１増幅部に異常が発生した場合に、前記第２増幅部からの出力が前記第１出力部に入力されるように前記出力ラインを切り替えることが可能な第２切替部とを備える、請求項１に記載の送信システム。
【請求項３】
前記切替部は、一部の前記第１増幅部に異常が発生した場合に、前記一部の第１増幅部からの出力が前記第１出力部に入力されずに、前記一部の第１増幅部以外の他の第１増幅部からの出力が前記第１出力部に入力されるように前記出力ラインを切り替えることが可能なように構成されている、請求項１または２に記載の送信システム。
【請求項４】
前記複数の増幅部に異常が発生したか否かを検知する検知部と、
前記検知部の検知結果に基づいて前記切替部を制御することにより、前記複数の第１増幅部に異常が発生した場合に、前記第１入力信号が前記複数の第２出力ラインのうちの少なくとも１つに設けられた前記第２増幅部を介して前記第１出力部に入力されるように前記出力ラインを切り替える制御部とをさらに備える、請求項１〜３のいずれか１項に記載の送信システム。
【発明の詳細な説明】
【技術分野】
【０００１】
本発明の実施形態は、送信システムに関する。
【背景技術】
【０００２】
従来、デジタル放送信号などを送信するための送信システムが知られている。このような送信システムでは、冗長性を確保するために、実際に信号を送信する際に使用する送信機の他に、通常は使用されない予備の送信機が設けられていることが多い。
【先行技術文献】
【特許文献】
【０００３】
【特許文献１】特開平７−１２３０１４号公報
【発明の概要】
【発明が解決しようとする課題】
【０００４】
上記のような技術では、予備の送信機を設けることなく、すなわち、より簡素な構成で、冗長性を確保することができれば望ましい。
【課題を解決するための手段】
【０００５】
実施形態による送信システムは、一例として、複数の入力部と、複数の出力部と、複数の分配部と、複数の増幅部と、切替部とを備える。複数の入力部は、複数の入力信号がそれぞれ入力されるように構成されている。複数の出力部は、複数の入力信号に対応する複数の出力信号をそれぞれ出力するように構成されている。複数の分配部は、入力部と出力部との間に設けられており、複数の入力信号の各々を複数の出力ラインに分配して出力するように構成されている。複数の増幅部は、分配部と出力部との間に設けられており、複数の出力ライン上にそれぞれ設けられている。切替部は、複数の入力信号のうちの１つの第１入力信号に対応する複数の第１出力ライン上にそれぞれ設けられた複数の第１増幅部に異常が発生した場合に、第１入力信号が、第１入力信号以外の第２入力信号に対応する複数の第２出力ラインのうちの少なくとも１つに設けられた第２増幅部を介して、第１入力信号に対応する第１出力信号を出力する第１出力部に入力されるように、出力ラインを切り替えることが可能なように構成されている。
【図面の簡単な説明】
【０００６】
【図１】図１は、実施形態による送信システムの通常時における構成の一例を示した図である。
【図２】図２は、実施形態による切替器の一例を示した概略図である。
【図３】図３は、実施形態による第１切替部の通常時における構成の一例を示した図である。
【図４】図４は、実施形態による第１切替部の通常時における詳細な構成の一例を示したブロック図である。
【図５】図５は、実施形態による第２切替部の通常時における構成の一例を示した図である。
【図６】図６は、実施形態による第２切替部の通常時における詳細な構成の一例を示した図である。
【図７】図７は、実施形態による２個の第１増幅部の両方に異常が発生した際における送信システムの構成の一例を示した図である。
【図８】図８は、実施形態による２個の第１増幅部の両方に異常が発生した際における第１切替部の構成の一例を示した図である。
【図９】図９は、実施形態による２個の第１増幅部の両方に異常が発生した際における第１切替部の詳細な構成の一例を示した図である。
【図１０】図１０は、実施形態による２個の第１増幅部の両方に異常が発生した際における第２切替部の構成の一例を示した図である。
【図１１】図１１は、実施形態による２個の第１増幅部の両方に異常が発生した際における第２切替部の詳細な構成の一例を示した図である。
【図１２】図１２は、実施形態による２個の第２増幅部の両方に異常が発生した際における送信システムの構成の一例を示した図である。
【図１３】図１３は、実施形態による２個の第２増幅部の両方に異常が発生した際における第１切替部の構成の一例を示した図である。
【図１４】図１４は、実施形態による２個の第２増幅部の両方に異常が発生した際における第１切替部の詳細な構成の一例を示した図である。
【図１５】図１５は、実施形態による２個の第１増幅部の一方に異常が発生した際における送信システムの構成の一例を示した図である。
【図１６】図１６は、実施形態による２個の第１増幅部の一方に異常が発生した際における第１切替部の構成の一例を示した図である。
【図１７】図１７は、実施形態による２個の第１増幅部の一方に異常が発生した際における第１切替部の詳細な構成の一例を示した図である。
【図１８】図１８は、実施形態による２個の第１増幅部の図１５〜図１７とは異なる他方に異常が発生した際における送信システムの構成の一例を示した図である。
【図１９】図１９は、実施形態による２個の第１増幅部の図１５〜図１７とは異なる他方に異常が発生した際における第１切替部の構成の一例を示した図である。
【図２０】図２０は、実施形態による２個の第１増幅部の図１５〜図１７とは異なる他方に異常が発生した際における第１切替部の詳細な構成の一例を示した図である。
【図２１】図２１は、実施形態による２個の第２増幅部の一方に異常が発生した際における送信システムの構成の一例を示した図である。
【図２２】図２２は、実施形態による２個の第２増幅部の一方に異常が発生した際における第１切替部の構成の一例を示した図である。
【図２３】図２３は、実施形態による２個の第２増幅部の一方に異常が発生した際における第１切替部の詳細な構成の一例を示した図である。
【図２４】図２４は、実施形態による２個の第２増幅部の図２１〜図２３とは異なる他方に異常が発生した際における送信システムの構成の一例を示した図である。
【図２５】図２５は、実施形態による２個の第２増幅部の図２１〜図２３とは異なる他方に異常が発生した際における第１切替部の構成の一例を示した図である。
【図２６】図２６は、実施形態による２個の第２増幅部の図２１〜図２３とは異なる他方に異常が発生した際における第１切替部の詳細な構成の一例を示した図である。
【図２７】図２７は、実施形態によるシステムコントローラが実行する処理の一例を示したフローチャートである。
【発明を実施するための形態】
【０００７】
以下、実施形態を図面に基づいて説明する。
【０００８】
まず、図１〜図２６を参照して、実施形態による送信システム１００の構成の一例について説明する。この送信システム１００は、たとえばデジタル形式の放送信号（映像および音声信号）を送信するための設備として用いられる。以下では、一例として、２個の入力信号を受けて２個の出力信号を出力する構成について説明するが、実施形態の技術は、３個以上の入力信号を受けて３個以上の出力信号を出力する構成にも適用可能である。
【０００９】
図１に示すように、送信システム１００は、２個のエキサイタ１および２と、２個の分配器３および４と、２個の第１増幅部５および６と、２個の第２増幅部７および８と、２個のバンドパスフィルタ９および１０と、システムコントローラ１１とを備える。エキサイタ１および２は、それぞれ、「入力部」の一例である。バンドパスフィルタ９および１０は、それぞれ、「出力部」の一例である。システムコントローラ１１は、「制御部」の一例である。
【００１０】
エキサイタ１は、入力信号Ｘ１を所定形式の信号に変調する変調器の機能と、変調後の入力信号Ｘ１の周波数をＵＨＦ（Ｕｌｔｒａ  Ｈｉｇｈ  Ｆｒｅｑｕｅｎｃｙ）帯の周波数に変換する励振器の機能とを有する。同様に、エキサイタ２は、入力信号Ｘ２を変調する変調器の機能と、変調後の入力信号Ｘ２の周波数を変換する励振器の機能とを有する。
【００１１】
ここで、入力信号Ｘ１およびＸ２とは、たとえば互いに異なる２個のチャンネルに対応するＴＳ（Ｔｒａｎｓｐｏｒｔ  Ｓｔｒｅａｍ）信号である。また、所定形式の信号とは、たとえばＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）方式に準じたＩＦ（Ｉｎｔｅｒｍｅｄｉａｔｅ  Ｆｒｅｑｕｅｎｃｙ）帯のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）信号である。
【００１２】
分配器３は、入力信号Ｘ１を２個の出力ラインＬ１およびＬ２に分配して出力するように構成されている。また、分配器４は、入力信号Ｘ２を２個の出力ラインＬ３およびＬ４に分配して出力するように構成されている。
【００１３】
２個の第１増幅部５および６は、それぞれ、出力ラインＬ１およびＬ２上に設けられている。また、２個の第２増幅部７および８は、それぞれ、出力ラインＬ３およびＬ４上に設けられている。
【００１４】
第１増幅部５および６と、第２増幅部７および８とは、それぞれ同様の構成を有する。すなわち、第１増幅部５および６は、それぞれ、増幅器５ａおよび６ａと、コントローラ５ｂおよび６ｂと、冷却装置５ｃおよび６ｃとを備え、２個の第２増幅部７および８も、それぞれ、増幅器７ａおよび８ａと、コントローラ７ｂおよび８ｂと、冷却装置７ｃおよび８ｃとを備える。
【００１５】
増幅器５ａおよび６ａは、それぞれ、出力ラインＬ１およびＬ２上に分配された入力信号Ｘ１を所定の出力レベルに増幅するように構成されている。また、増幅器７ａおよび８ａは、出力ラインＬ３およびＬ４上に分配された入力信号Ｘ２を所定の出力レベルに増幅するように構成されている。
【００１６】
コントローラ５ｂおよび６ｂは、それぞれ、第１増幅部５および６全体を制御するように構成されており、コントローラ７ｂおよび８ｂは、それぞれ、第２増幅部７および８全体を制御するように構成されている。実施形態では、コントローラ５ｂ、６ｂ、７ｂおよび８ｂは、それぞれ、増幅器５ａ、６ａ、７ａおよび８ａに異常が発生したか否かを検知する機能を有する。コントローラ５ｂ、６ｂ、７ｂおよび８ｂは、それぞれ、増幅器５ａ、６ａ、７ａおよび８ａに異常が発生したことを検知した場合に、異常が発生した旨をシステムコントローラ１１に通知するように構成されている。
【００１７】
冷却装置５ｃ、６ｃ、７ｃおよび８ｃは、それぞれ、増幅器５ａ、６ａ、７ａおよび８ａを冷却するように構成されている。冷却方式としては、たとえば水冷が用いられる。
【００１８】
バンドパスフィルタ９および１０は、それぞれ、入力信号Ｘ１およびＸ２に対応する出力信号Ｙ１およびＹ２を出力するように構成されている。システムコントローラ１１は、送信システム１００の各部を統括的に制御するように構成されている。
【００１９】
ここで、実施形態では、図１に示すように、４個の増幅部（第１増幅部５および６、第２増幅部７および８）と、バンドパスフィルタ９および１０との間に、第１切替部２０が設けられている。第１切替部２０は、４個の増幅部とバンドパスフィルタ９および１０との間の接続関係を各増幅部の状態に応じて切り替えるために設けられている（詳細は後述する）。
【００２０】
第１切替部２０は、２個の合成器２１および２２と、１２個の切替ポートＡ〜Ｌとを備える。合成器２１および切替ポートＡ〜Ｆは、第１増幅部５および６とバンドパスフィルタ９との間に設けられている。合成器２２および切替ポートＧ〜Ｌは、第２増幅部７および８とバンドパスフィルタ１０との間に設けられている。
【００２１】
また、実施形態では、図１に示すように、分配器３および４と、第１増幅部６および第２増幅部７との間に、第２切替部３０が設けられている。第２切替部３０は、分配器３および４と第１増幅部６および第２増幅部７との間の接続関係を、上記４個の増幅部の各々の状態に応じて切り替えるために設けられている（詳細は後述する）。
【００２２】
第２切替部３０は、４個の切替ポートＭ〜Ｐを備える。切替ポートＭおよびＮは、分配器３と第１増幅部６との間の出力ラインＬ２上に設けられている。切替ポートＯおよびＰは、分配器４と第２増幅部７との間の出力ラインＬ３上に設けられている。
【００２３】
以下、４個の増幅部（第１増幅部５および６、第２増幅部７および８）の各々の状態を７通りに場合分けして、それぞれの場合における切替ポートＡ〜Ｐの接続関係について説明する。
【００２４】
（１）通常時
まず、図１〜図４を参照して、第１増幅部５および６と第２増幅部７および８とのいずれにも異常が発生していない通常時（以下、単に（１）の場合という）における第１切替部２０の各切替ポートＡ〜Ｌの接続関係について説明する。
【００２５】
（１）の場合では、図１に示すように、出力ラインＬ１が切替ポートＡおよびＢを介して合成器２１に接続され、出力ラインＬ２が切替ポートＣおよびＤを介して合成器２１に接続され、合成器２１が切替ポートＥおよびＦを介してバンドパスフィルタ９に接続されるように、第１切替部２０が切り替えられる。また、出力ラインＬ３が切替ポートＧおよびＨを介して合成器２２に接続され、出力ラインＬ４が切替ポートＩおよびＪを介して合成器２２に接続され、合成器２２が切替ポートＫおよびＬを介してバンドパスフィルタ１０に接続されるように、第１切替部２０が切り替えられる。
【００２６】
（１）の場合では、図３に示すように、切替ポートＡおよびＢが互いに接続され、切替ポートＣおよびＤが互いに接続され、切替ポートＥおよびＦが互いに接続され、切替ポートＧおよびＨが互いに接続され、切替ポートＩおよびＪが互いに接続され、切替ポートＫおよびＬが互いに接続される。実施形態では、図３に示すような配置関係の同軸端子を有するＵリンクパネルを用いて、切替ポートＡ〜Ｌの接続関係を手動で切り替えてもよい。Ｕリンクパネルとは、Ｕ字状の同軸管（いわゆるＵリンク）が取り付け可能に構成された装置である。オペレータは、Ｕリンクの取り付け位置を適宜変更することによって、Ｕリンクパネル上の各同軸端子の接続関係を切り替えることが可能である。
【００２７】
なお、実施形態では、各切替ポートＡ〜Ｌの接続関係の切り替えを、システムコントローラ１１が自動制御で行うような構成としてもよい。すなわち、実施形態では、図２に示すような切替器４０を第１切替部２０に設け、各コントローラ５ｂ、６ｂ、７ｂおよび８ｂの検知結果に基づいて切替器４０を制御することにより、各切替ポートＡ〜Ｌの接続関係を自動で切り替えてもよい。
【００２８】
図２に示すように、切替器４０は、４個の接続ポートＱ〜Ｔを備える。接続ポートＱおよびＲは、切替器４０内の配線を介して互いに接続されており、接続ポートＳおよびＴは、接続ポートＱおよびＲを接続する配線とは別の切替器４０内の配線を介して互いに接続されている。
【００２９】
図４は、各切替ポートＡ〜Ｌの接続関係を９個の切替器４０（それぞれ、切替器４０ａ〜４０ｉとする）を用いて自動で切り替える際における（１）の場合の接続関係をより詳細に示したものである。図４に示すように、（１）の場合では、出力ラインＬ１からの出力は、切替ポートＡと、切替器４０ａ内の配線と、切替ポートＢとを介して合成器２１に入力される。また、出力ラインＬ２からの出力は、切替ポートＣと、切替器４０ｂ内の配線と、切替ポートＤとを介して合成器２１に入力される。そして、合成器２１からの出力は、切替ポートＥと、切替器４０ｃ内の配線と、切替ポートＦとを介してバンドパスフィルタ９（図１参照）に出力される。
【００３０】
また、（１）の場合では、図４に示すように、出力ラインＬ３からの出力は、切替ポートＧと、切替器４０ｄ内の配線と、切替ポートＨとを介して合成器２２に入力される。また、出力ラインＬ４からの出力は、切替ポートＩと、切替器４０ｅ内の配線と、切替ポートＪとを介して合成器２２に入力される。そして、合成器２２からの出力は、切替ポートＫと、切替器４０ｆ内の配線と、切替ポートＬとを介してバンドパスフィルタ１０（図１参照）に出力される。
【００３１】
なお、図４に示すように、切替器４０ａ〜４０ｆ内の、切替ポートＡ〜Ｆのいずれにも接続されていない配線は、切替器４０ｇ〜４０ｉを介してダミー抵抗（終端抵抗）２３に接続されている。ダミー抵抗２３は、配線の開放端において信号が反射するのを抑制するためのものである。
【００３２】
このように、（１）の場合では、増幅器５ａからの出力（出力ラインＬ１からの出力）は、切替ポートＡと、切替ポートＢとを介して合成器２１に入力され、増幅器６ａからの出力（出力ラインＬ２からの出力）は、切替ポートＣと、切替ポートＤとを介して合成器２１に入力される。そして、合成器２１からの出力は、切替ポートＥと、切替ポートＦとを介してバンドパスフィルタ９に入力される。
【００３３】
また、（１）の場合では、増幅器７ａからの出力（出力ラインＬ３からの出力）は、切替ポートＧと、切替ポートＨとを介して合成器２２に入力され、増幅器８ａからの出力（出力ラインＬ４からの出力）は、切替ポートＩと、切替ポートＪとを介して合成器２２に入力される。そして、合成器２２からの出力は、切替ポートＫと、切替ポートＬとを介してバンドパスフィルタ１０に入力される。
【００３４】
次に、図１、図５および図６を参照して、（１）の場合における第２切替部３０の各切替ポートＭ〜Ｐの接続関係について説明する。
【００３５】
図１および図５に示すように、（１）の場合では、出力ラインＬ２上の切替ポートＭおよびＮが互いに接続され、出力ラインＬ３上の切替ポートＯおよびＰが互いに接続されるように、第２切替部３０が切り替えられる。実施形態では、第２切替部３０の各切替ポートＭ〜Ｐの接続関係の切り替えを、図５に示すような配置関係の同軸端子を有するＵリンクパネルを用いてオペレータが手動で行う構成としてもよいし、図２に示すような切替器４０を用いてシステムコントローラ１１が自動で行う構成としてもよい。
【００３６】
図６は、各切替ポートＭ〜Ｐの接続関係を１個の切替器４０（切替器４０ｊとする）を用いて切り替える際における（１）の場合の接続関係をより詳細に示したものである。図６に示すように、（１）の場合では、切替ポートＭは、切替器４０ｊ内の一方の配線を介して切替ポートＮに接続され、切替ポートＯは、切替器４０ｊ内の他方の配線を介して切替ポートＰに接続されている。
【００３７】
このように、（１）の場合では、入力信号Ｘ１は、分配器３により分配され、分配された２個の入力信号Ｘ１は、それぞれ、出力ラインＬ１およびＬ２と増幅器５ａおよび６ａとを経由して合成器２１に入力され、合成器２１により１つの信号として合成された後に、バンドパスフィルタ９から出力信号Ｙ１として出力される。また、入力信号Ｘ２は、分配器４により分配され、分配された２個の入力信号Ｘ２は、それぞれ、出力ラインＬ３およびＬ４と増幅器７ａおよび８ａとを経由して合成器２２に入力され、合成器２２により１つの信号として合成された後に、バンドパスフィルタ１０から出力信号Ｙ２として出力される。
【００３８】
（２）２個の第１増幅部の両方に異常が発生した場合
次に、図７〜図９を参照して、２個の第１増幅部５および６の両方に異常が発生した場合（以下、単に（２）の場合という）における第１切替部２０の各切替ポートＡ〜Ｌの接続関係について説明する。
【００３９】
（２）の場合では、図７に示すように、正常に動作している増幅器７ａが設けられた出力ラインＬ３が切替ポートＧおよびＦを介してバンドパスフィルタ９に接続され、正常に動作している増幅器８ａが設けられた出力ラインＬ４が切替ポートＩおよびＬを介してバンドパスフィルタ１０に接続されるように、第１切替部２０が切り替えられる。なお、異常が発生している増幅器５ａおよび６ａがそれぞれ設けられた出力ラインＬ１およびＬ２は、バンドパスフィルタ９および１０のいずれにも接続されない。なお、図７では、簡単化のため、上記図１に示した合成器２１および２２や、切替ポートＢ、Ｄ、Ｅ、Ｈ、ＪおよびＫの図示を省略している。
【００４０】
（２）の場合では、図８に示すように、切替ポートＧおよびＦが互いに接続され、切替ポートＩおよびＬが互いに接続されている一方、他の切替ポートＢ、Ｄ、Ｅ、Ｈ、ＪおよびＫは、どの切替ポートＡ〜Ｌにも接続されていない。なお、図８は、各切替ポートＡ〜Ｊの接続関係の切り替えがオペレータの手動で行われる場合に用いられるＵリンクパネルにおいて、各同軸端子が（２）の場合に対応するように接続された状態を示した模式図である。
【００４１】
図９は、各切替ポートＡ〜Ｌの接続関係を９個の切替器４０（それぞれ、切替器４０ａ〜４０ｉとする）を用いて切り替える際における（２）の場合の接続関係をより詳細に示したものである。この図９は、上記図４の切替器４０ｃ、４０ｄ、４０ｅ、４０ｆ、４０ｇおよび４０ｈがシステムコントローラ１１の制御に基づいて回転することによりそれぞれの内部の配線の方向が切り替わった状態を示している。
【００４２】
図９に示すように、（２）の場合では、出力ラインＬ１は、切替ポートＡと、切替器４０ａ内の配線と、切替ポートＢとを介して合成器２１に接続される。また、出力ラインＬ２は、切替ポートＣと、切替器４０ｂ内の配線と、切替ポートＤとを介して合成器２１に接続される。そして、合成器２１は、切替ポートＥと、切替器４０ｃ内の配線とを介してダミー抵抗２３に接続される。
【００４３】
また、（２）の場合では、出力ラインＬ３は、切替ポートＧと、切替器４０ｄ内の配線と、切替器４０ｈ内の配線と、切替器４０ｇ内の配線と、切替器４０ｃ内の配線と、切替ポートＦとを介してバンドパスフィルタ９（図７参照）に接続される。また、出力ラインＬ４からの出力は、切替ポートＩと、切替器４０ｅ内の配線と、切替器４０ｉ内の配線と、切替器４０ｆ内の配線と、切替ポートＬとを介してバンドパスフィルタ１０（図７参照）に接続される。
【００４４】
このように、（２）の場合では、異常が発生した増幅器５ａおよび６ａからの出力（出力ラインＬ１およびＬ２からの出力）は、バンドパスフィルタ９および１０に入力されることなく、ダミー抵抗２３を介して消費される。一方、異常が発生しておらず正常に動作している増幅器７ａおよび８ａからの出力（出力ラインＬ３およびＬ４からの出力）は、それぞれ、バンドパスフィルタ９および１０に入力される。
【００４５】
次に、図７、図１０および図１１を参照して、（２）の場合における第２切替部３０の各切替ポートＭ〜Ｐの接続関係について説明する。
【００４６】
図１および図１０に示すように、（２）の場合では、出力ラインＬ２上の切替ポートＭおよびＮと、出力ラインＬ３上の切替ポートＰおよびＯとがそれぞれ接続されるように、第２切替部３０が切り替えられる。なお、図１０は、各同軸端子が（２）の場合に対応するように接続された、第２切替部３０に対応するＵリンクパネルの一例を示した模式図である。
【００４７】
図１１は、各切替ポートＭ〜Ｐの接続関係を１個の切替器４０（切替器４０ｊとする）を用いて切り替える際における（２）の場合の接続関係をより詳細に示したものである。この図１１は、上記図６の切替器４０ｊがシステムコントローラ１１の制御に基づいて回転することによりその内部の配線の方向が切り替わった状態を示している。
【００４８】
図１１に示すように、（２）の場合では、切替ポートＭは、切替器４０ｊ内の他方の配線を介して切替ポートＰに接続され、切替ポートＯは、切替器４０ｊ内の一方の配線を介して切替ポートＮに接続されている。
【００４９】
以上のように、（２）の場合では、入力信号Ｘ１は、分配器３により分配され、分配された入力信号Ｘ１は、出力ラインＬ２と、切替ポートＭと、切替ポートＰと、出力ラインＬ３とを介して増幅器７ａに入力される。そして、増幅器７ａからの出力は、切替ポートＧおよびＦを介してバンドパスフィルタ９に入力され、出力信号Ｙ１として出力される。これにより、入力信号Ｘ１は、異常が発生した増幅器５ａおよび６ａを経由することなく、正常に動作している増幅器７ａを介して出力される。
【００５０】
また、（２）の場合では、入力信号Ｘ２は、分配器４により分配され、分配された入力信号Ｘ２は、出力ラインＬ４を介して増幅器８ａに入力される。そして、増幅器８ａからの出力は、切替ポートＩおよびＬを介してバンドパスフィルタ１０に入力され、出力信号Ｙ２として出力される。これにより、入力信号Ｘ２も、正常に動作している増幅器８ａを介して出力される。
【００５１】
（３）２個の第２増幅部の両方に異常が発生した場合
次に、図１２〜図１４を参照して、２個の第２増幅部７および８の両方に異常が発生した場合（以下、単に（３）の場合という）における第１切替部２０の各切替ポートＡ〜Ｌの接続関係について説明する。
【００５２】
（３）の場合では、図１２に示すように、正常に動作している増幅器５ａが設けられた出力ラインＬ１が切替ポートＡおよびＦを介してバンドパスフィルタ９に接続され、正常に動作している増幅器６ａが設けられた出力ラインＬ２が切替ポートＣおよびＬを介してバンドパスフィルタ１０に接続されるように、第１切替部２０が切り替えられる。なお、異常が発生している増幅器７ａおよび８ａがそれぞれ、設けられた出力ラインＬ３およびＬ４は、バンドパスフィルタ９および１０のいずれにも接続されない。なお、図１２では、簡単化のため、上記図１に示した合成器２１および２２や、切替ポートＢ、Ｄ、Ｅ、Ｈ、ＪおよびＫの図示を省略している。
【００５３】
（３）の場合では、図１３に示すように、切替ポートＡおよびＦが互いに接続され、切替ポートＣおよびＬが互いに接続されている一方、他の切替ポートＢ、Ｄ、Ｅ、Ｈ〜ＪおよびＫは、どの切替ポートＡ〜Ｊにも接続されていない。なお、図１３は、各切替ポートＡ〜Ｊの接続関係の切り替えがオペレータの手動で行われる場合に用いられるＵリンクパネルにおいて、各同軸端子が（３）の場合に対応するように接続された状態を示した模式図である。
【００５４】
図１４は、各切替ポートＡ〜Ｌの接続関係を９個の切替器４０（それぞれ、切替器４０ａ〜４０ｉとする）を用いて切り替える際における（３）の場合の接続関係をより詳細に示したものである。この図１４は、上記図４の切替器４０ａ、４０ｂ、４０ｃ、４０ｆ、４０ｈおよび４０ｉがシステムコントローラ１１の制御に基づいて回転することによりそれぞれの内部の配線の方向が切り替わった状態を示している。
【００５５】
図１４に示すように、（３）の場合では、出力ラインＬ１は、切替ポートＡと、切替器４０ａ内の配線と、切替器４０ｇ内の配線と、切替器４０ｃ内の配線と、切替ポートＦとを介してバンドパスフィルタ９（図１２参照）に接続される。また、出力ラインＬ２は、切替ポートＣと、切替器４０ｂ内の配線と、切替器４０ｈ内の配線と、切替器４０ｉ内の配線と、切替器４０ｆ内の配線と、切替ポートＬとを介してバンドパスフィルタ１０（図１２参照）に接続される。
【００５６】
また、図１４に示すように、（３）の場合では、出力ラインＬ３は、切替ポートＧと、切替器４０ｄ内の配線と、切替ポートＨとを介して合成器２２に接続される。また、出力ラインＬ４は、切替ポートＩと、切替器４０ｅ内の配線と、切替ポートＪとを介して合成器２２に接続される。そして、合成器２２は、切替ポートＫと、切替器４０ｆ内の配線とを介してダミー抵抗２３に接続される。
【００５７】
このように、（３）の場合では、異常が発生した増幅器７ａおよび８ａからの出力（出力ラインＬ３およびＬ４からの出力）は、バンドパスフィルタ９および１０に入力されることなく、ダミー抵抗２３を介して消費される。一方、異常が発生しておらず正常に動作している増幅器５ａおよび６ａからの出力（出力ラインＬ１およびＬ２からの出力）は、それぞれ、バンドパスフィルタ９および１０に入力される。
【００５８】
なお、図１２に示すように、（３）の場合における第２切替部３０の各切替ポートＭ〜Ｐの接続関係は、上記図７、図１０および図１１に示した（２）の場合と同様であるため、ここでは説明を省略する。
【００５９】
このように、（３）の場合では、入力信号Ｘ１は、分配器３により分配され、分配された入力信号Ｘ１は、出力ラインＬ１を介して増幅器５ａに入力される。そして、増幅器５ａからの出力は、切替ポートＡおよびＦを介してバンドパスフィルタ９に入力され、出力信号Ｙ１として出力される。これにより、入力信号Ｘ１は、正常に動作している増幅器５ａを介して出力される。
【００６０】
また、（３）の場合では、入力信号Ｘ２は、分配器４により分配され、分配された入力信号Ｘ２は、出力ラインＬ３と、切替ポートＯと、切替ポートＮと、出力ラインＬ２とを介して増幅器６ａに入力される。そして、増幅器６ａからの出力は、切替ポートＣおよびＬを介してバンドパスフィルタ１０に入力され、出力信号Ｙ２として出力される。これにより、入力信号Ｘ２は、異常が発生した増幅器７ａおよび８ａを経由することなく、正常に動作している増幅器６ａを介して出力される。
【００６１】
（４）２個の第１増幅部のいずれか一方に異常が発生した場合
次に、図１５〜図２０を参照して、２個の第１増幅部５および６のいずれか一方に異常が発生した場合（以下、単に（４）の場合という）における第１切替部２０の各切替ポートＡ〜Ｌの接続関係について説明する。
【００６２】
まず、図１５〜図１７を参照して、（４）の場合の一例として、第１増幅部５の増幅器５ａに異常が発生した場合（以下、単に（４−１）の場合という）について説明する。
【００６３】
（４−１）の場合では、図１５に示すように、異常が発生している増幅器５ａが設けられた出力ラインＬ１がバンドパスフィルタ９および１０のいずれにも接続されず、正常に動作している増幅器６ａが設けられた出力ラインＬ２が切替ポートＣおよびＦを介してバンドパスフィルタ９に接続されるように、第１切替部２０が切り替えられる。また、正常に動作している増幅器７ａが設けられた出力ラインＬ３が切替ポートＧおよびＨを介して合成器２２に接続され、正常に動作している増幅器８ａが設けられた出力ラインＬ４が切替ポートＩおよびＪを介して合成器２２に接続され、合成器２２が切替ポートＫおよびＬを介してバンドパスフィルタ１０に接続されるように、第１切替部２０が切り替えられる。なお、図１５では、簡単化のため、上記図１に示した合成器２１や、切替ポートＢ、Ｄ、およびＥの図示を省略している。
【００６４】
（４−１）の場合では、図１６に示すように、切替ポートＣおよびＦが互いに接続され、切替ポートＧおよびＨが互いに接続され、切替ポートＩおよびＪが互いに接続され、切替ポートＫおよびＬが互いに接続されている一方、他の切替ポートＡ、Ｂ、ＤおよびＥは、どの切替ポートＡ〜Ｌにも接続されていない。図１６は、各切替ポートＡ〜Ｊの接続関係の切り替えがオペレータの手動で行われる場合に用いられるＵリンクパネルにおいて、各同軸端子が（４−１）の場合に対応するように接続された状態を示した模式図である。
【００６５】
図１７は、各切替ポートＡ〜Ｌの接続関係を９個の切替器４０（それぞれ、切替器４０ａ〜４０ｉとする）を用いて切り替える際における（４−１）の場合の接続関係をより詳細に示したものである。この図１７は、上記図４の切替器４０ａ、４０ｂ、４０ｃおよび４０ｇがシステムコントローラ１１の制御に基づいて回転することによりそれぞれの内部の配線の方向が切り替わった状態を示している。
【００６６】
図１７に示すように、（４−１）の場合では、出力ラインＬ１は、切替ポートＡと、切替器４０ａ内の配線と、切替器４０ｇ内の配線とを介してダミー抵抗２３に接続される。また、出力ラインＬ２は、切替ポートＣと、切替器４０ｂ内の配線と、切替器４０ｈ内の配線と、切替器４０ｇ内の配線と、切替器４０ｃ内の配線と、切替ポートＦとを介してバンドパスフィルタ９（図１５参照）に接続される。なお、出力ラインＬ３およびＬ４の接続関係については、上記図４に示した（１）の場合と同様であるため、ここでは説明を省略する。
【００６７】
このように、（４−１）の場合では、異常が発生した増幅器５ａからの出力（出力ラインＬ１からの出力）は、バンドパスフィルタ９に入力されることなく、ダミー抵抗２３を介して消費される。一方、異常が発生しておらず正常に動作している増幅器６ａからの出力（出力ラインＬ２からの出力）は、バンドパスフィルタ９に入力される。
【００６８】
また、（４−１）の場合では、正常に動作している増幅器７ａからの出力は、出力ラインＬ３と、切替ポートＧおよびＨとを介して合成器２２に入力され、正常に動作している増幅器８ａからの出力は、出力ラインＬ４と、切替ポートＩおよびＪとを介して合成器２２に入力される。そして、合成器２２からの出力（増幅器７ａおよび８ａからの出力が合成されることにより生成された合成信号）は、切替ポートＫおよびＬを介してバンドパスフィルタ１０に入力される。
【００６９】
なお、図１５に示すように、（４−１）の場合における第２切替部３０の各切替ポートＭ〜Ｐの接続関係は、上記図１、図５および図６に示した（１）の場合と同様であるため、ここでは説明を省略する。
【００７０】
以上のように、（４−１）の場合では、入力信号Ｘ１は、分配器３により分配され、分配された入力信号Ｘ１は、異常が発生した増幅器５ａを経由することなく、正常に動作している増幅器６ａを経由してバンドパスフィルタ９に入力され、出力信号Ｙ１として出力される。また、（４−１）の場合では、入力信号Ｘ２は、分配器４により分配され、分配された２個の入力信号Ｘ２は、それぞれ、出力ラインＬ３およびＬ４と増幅器７ａおよび８ａとを経由して合成器２２に入力され、合成器２２により１つの信号として合成された後に、バンドパスフィルタ１０から出力信号Ｙ２として出力される。
【００７１】
次に、図１８〜図２０を参照して、（４）の場合の他の一例として、第１増幅部６の増幅器６ａに異常が発生した場合（以下、単に（４−２）の場合という）について説明する。
【００７２】
（４−２）の場合では、図１８に示すように、正常に動作している増幅器５ａが設けられた出力ラインＬ１が切替ポートＡおよびＦを介してバンドパスフィルタ９に接続され、異常が発生している増幅器６ａが設けられた出力ラインＬ２がバンドパスフィルタ９および１０のいずれにも接続されないように、第１切替部２０が切り替えられる。また、正常に動作している増幅器７ａが設けられた出力ラインＬ３が切替ポートＧおよびＨを介して合成器２２に接続され、正常に動作している増幅器８ａが設けられた出力ラインＬ４が切替ポートＩおよびＪを介して合成器２２に接続され、合成器２２が切替ポートＫおよびＬを介してバンドパスフィルタ１０に接続されるように、第１切替部２０が切り替えられる。なお、図１８では、簡単化のため、上記図１に示した合成器２１や、切替ポートＢ、Ｄ、およびＥの図示を省略している。
【００７３】
（４−２）の場合では、図１９に示すように、切替ポートＡおよびＦが互いに接続され、切替ポートＧおよびＨが互いに接続され、切替ポートＩおよびＪが互いに接続され、切替ポートＫおよびＬが互いに接続されている一方、他の切替ポートＢ〜Ｅは、どの切替ポートＡ〜Ｌにも接続されていない。図１９は、各切替ポートＡ〜Ｊの接続関係の切り替えがオペレータの手動で行われる場合に用いられるＵリンクパネルにおいて、各同軸端子が（４−２）の場合に対応するように接続された状態を示した模式図である。
【００７４】
図２０は、各切替ポートＡ〜Ｌの接続関係を９個の切替器４０（それぞれ、切替器４０ａ〜４０ｉとする）を用いて切り替える際における（４−２）の場合の接続関係をより詳細に示したものである。この図２０は、上記図４の切替器４０ａ、４０ｂおよび４０ｃがシステムコントローラ１１の制御に基づいて回転することによりそれぞれの内部の配線の方向が切り替わった状態を示している。
【００７５】
図２０に示すように、（４−２）の場合では、出力ラインＬ１は、切替ポートＡと、切替器４０ａ内の配線と、切替器４０ｇ内の配線と、切替器４０ｃ内の配線と、切替ポートＦとを介してバンドパスフィルタ９（図１８参照）に接続される。また、出力ラインＬ２は、切替ポートＣと、切替器４０ｂ内の配線と、切替器４０ｈ内の配線と、切替器４０ｇ内の配線とを介してダミー抵抗２３に接続される。なお、出力ラインＬ３およびＬ４の接続関係については、上記図４に示した（１）の場合と同様であるため、ここでは説明を省略する。
【００７６】
このように、（４−２）の場合では、異常が発生しておらず正常に動作している増幅器５ａからの出力（出力ラインＬ１からの出力）は、バンドパスフィルタ９に入力される。一方、異常が発生している増幅器６ａからの出力（出力ラインＬ２からの出力）は、バンドパスフィルタ９に入力されることなく、ダミー抵抗２３を介して消費される。
【００７７】
また、（４−２）の場合では、正常に動作している増幅器７ａからの出力（出力ラインＬ３からの出力）は、切替ポートＧと、切替ポートＨとを介して合成器２２に入力され、正常に動作している増幅器８ａからの出力（出力ラインＬ４からの出力）は、切替ポートＩと、切替ポートＪとを介して合成器２２に入力される。そして、合成器２２からの出力は、切替ポートＫと、切替ポートＬとを介してバンドパスフィルタ１０に入力される。
【００７８】
なお、図１８に示すように、（４−２）の場合における第２切替部３０の各切替ポートＭ〜Ｐの接続関係は、上記図１、図５および図６に示した（１）の場合と同様であるため、ここでは説明を省略する。
【００７９】
以上のように、（４−２）の場合では、入力信号Ｘ１は、分配器３により分配され、分配された入力信号Ｘ１は、異常が発生した増幅器６ａを経由することなく、正常に動作している増幅器５ａを経由してバンドパスフィルタ９に入力され、出力信号Ｙ１として出力される。
【００８０】
また、（４−２）の場合では、入力信号Ｘ２は、分配器４により分配され、分配された２個の入力信号Ｘ２は、それぞれ、出力ラインＬ３およびＬ４と増幅器７ａおよび８ａとを経由して合成器２２に入力され、合成器２２により１つの信号として合成された後に、バンドパスフィルタ１０から出力信号Ｙ２として出力される。
【００８１】
（５）２個の第２増幅部のいずれか一方に異常が発生した場合
次に、図２１〜図２６を参照して、２個の第２増幅部７および８の一方に異常が発生した場合（以下、単に（５）の場合という）における第１切替部２０の各切替ポートＡ〜Ｌの接続関係について説明する。
【００８２】
まず、図２１〜図２３を参照して、（５）の場合の一例として、第２増幅部７の増幅器７ａに異常が発生した場合（以下、単に（５−１）の場合という）について説明する。
【００８３】
（５−１）の場合では、図２１に示すように、正常に動作している増幅器５ａが設けられた出力ラインＬ１が切替ポートＡおよびＢを介して合成器２１に接続され、正常に動作している増幅器６ａが設けられた出力ラインＬ２が切替ポートＣおよびＤを介して合成器２１に接続され、合成器２１が切替ポートＥおよびＦを介してバンドパスフィルタ９に接続されるように、第１切替部２０が切り替えられる。また、異常が発生している増幅器７ａが設けられた出力ラインＬ３がバンドパスフィルタ９および１０のいずれにも接続されず、正常に動作している増幅器８ａが設けられた出力ラインＬ４が切替ポートＩおよびＬを介してバンドパスフィルタ１０に接続されるように、第１切替部２０が切り替えられる。なお、図２１では、簡単化のため、上記図１に示した合成器２２や、切替ポートＨ、ＪおよびＫの図示を省略している。
【００８４】
（５−１）の場合では、図２２に示すように、切替ポートＡおよびＢが互いに接続され、切替ポートＣおよびＤが互いに接続され、切替ポートＥおよびＦが互いに接続され、切替ポートＩおよびＬが互いに接続されている一方、他の切替ポートＧ、Ｈ、ＪおよびＫは、どの切替ポートＡ〜Ｌにも接続されていない。なお、図２２は、各切替ポートＡ〜Ｊの接続関係の切り替えがオペレータの手動で行われる場合に用いられるＵリンクパネルにおいて、各同軸端子が（５−１）の場合に対応するように接続された状態を示した模式図である。
【００８５】
図２３は、各切替ポートＡ〜Ｌの接続関係を９個の切替器４０（それぞれ、切替器４０ａ〜４０ｉとする）を用いて切り替える場合における（５−１）の場合の接続関係をより詳細に示したものである。この図２３は、上記図４の切替器４０ｄ、４０ｅおよび４０ｆがシステムコントローラ１１の制御に基づいて回転することによりそれぞれの内部の配線の方向が切り替わった状態を示している。
【００８６】
図２３に示すように、（５−１）の場合では、出力ラインＬ３は、切替ポートＧと、切替器４０ｄ内の配線と、切替器４０ｈ内の配線と、切替器４０ｉ内の配線とを介してダミー抵抗２３に接続される。また、出力ラインＬ４は、切替ポートＩと、切替器４０ｅ内の配線と、切替器４０ｉ内の配線と、切替器４０ｆ内の配線と、切替ポートＬとを介してバンドパスフィルタ１０（図２１参照）に接続される。なお、出力ラインＬ１およびＬ２の接続関係については、上記図４に示した（１）の場合と同様であるため、ここでは説明を省略する。
【００８７】
このように、（５−１）の場合では、異常が発生しておらず正常に動作している増幅器８ａからの出力（出力ラインＬ４からの出力）は、バンドパスフィルタ１０に入力される。一方、異常が発生した増幅器７ａからの出力（出力ラインＬ３からの出力）は、バンドパスフィルタ１０に入力されることなく、ダミー抵抗２３を介して消費される。
【００８８】
また、（５−１）の場合では、正常に動作している増幅器５ａからの出力（出力ラインＬ１からの出力）は、切替ポートＡと、切替ポートＢとを介して合成器２１に入力され、正常に動作している増幅器６ａからの出力（出力ラインＬ２からの出力）は、切替ポートＣと、切替ポートＤとを介して合成器２１に入力される。そして、合成器２１からの出力は、切替ポートＥと、切替ポートＦとを介してバンドパスフィルタ９に入力される。
【００８９】
なお、図２１に示すように、（５−１）の場合における第２切替部３０の各切替ポートＭ〜Ｐの接続関係は、上記図１、図５および図６に示した（１）の場合と同様であるため、ここでは説明を省略する。
【００９０】
以上のように、（５−１）の場合では、入力信号Ｘ１は、分配器３により分配され、分配された２個の入力信号Ｘ１は、それぞれ、出力ラインＬ１およびＬ２と増幅器５ａおよび６ａとを経由して合成器２１に入力され、合成器２１により１つの信号として合成された後に、バンドパスフィルタ９から出力信号Ｙ１として出力される。
【００９１】
また、（５−１）の場合では、入力信号Ｘ２は、分配器４により分配され、分配された入力信号Ｘ２は、異常が発生した増幅器７ａを経由することなく、正常に動作している増幅器８ａを経由してバンドパスフィルタ１０に入力され、出力信号Ｙ２として出力される。
【００９２】
次に、図２４〜図２６を参照して、（５）の場合の他の一例として、第２増幅部８の増幅器８ａに異常が発生した場合（以下、単に（５−２）の場合という）について説明する。
【００９３】
（５−２）の場合では、図２４に示すように、正常に動作している増幅器５ａが設けられた出力ラインＬ１が切替ポートＡおよびＢを介して合成器２１に接続され、正常に動作している増幅器６ａが設けられた出力ラインＬ２が切替ポートＣおよびＤを介して合成器２１に接続され、合成器２１が切替ポートＥおよびＦを介してバンドパスフィルタ９に接続されるように、第１切替部２０が切り替えられる。また、正常に動作している増幅器７ａが設けられた出力ラインＬ３が切替ポートＧおよびＬを介してバンドパスフィルタ１０に接続され、異常が発生した増幅器８ａが設けられた出力ラインＬ４がバンドパスフィルタ９および１０のいずれにも接続されないように、第１切替部２０が切り替えられる。なお、図２１では、簡単化のため、上記図１に示した合成器２２や、切替ポートＨ、ＪおよびＫの図示を省略している。
【００９４】
（５−２）の場合では、図２５に示すように、切替ポートＡおよびＢが互いに接続され、切替ポートＣおよびＤが互いに接続され、切替ポートＥおよびＦが互いに接続され、切替ポートＧおよびＬが互いに接続されている一方、他の切替ポートＨ〜ＪおよびＫは、どの切替ポートＡ〜Ｌにも接続されていない。なお、図２５は、各切替ポートＡ〜Ｊの接続関係の切り替えがオペレータの手動で行われる場合に用いられるＵリンクパネルにおいて、各同軸端子が（５−２）の場合に対応するように接続された状態を示した模式図である。
【００９５】
図２６は、各切替ポートＡ〜Ｌの接続関係を９個の切替器４０（それぞれ、切替器４０ａ〜４０ｉとする）を用いて自動で切り替える際における（５−２）の場合の接続関係をより詳細に示したものである。この図２６は、上記図４の切替器４０ｄ、４０ｅ、４０ｆおよび４０ｉがシステムコントローラ１１の制御に基づいて回転することによりそれぞれの内部の配線の方向が切り替わった状態を示している。
【００９６】
図２６に示すように、（５−２）の場合では、出力ラインＬ３は、切替ポートＧと、切替器４０ｄ内の配線と、切替器４０ｈ内の配線と、切替器４０ｉ内の配線と、切替器４０ｆ内の配線と、切替ポートＬとを介してバンドパスフィルタ１０（図２４参照）に接続される。また、出力ラインＬ４は、切替ポートＩと、切替器４０ｅ内の配線と、切替器４０ｉ内の配線とを介してダミー抵抗２３に接続される。なお、出力ラインＬ１およびＬ２の接続関係については、上記図４に示した（１）の場合と同様であるため、ここでは説明を省略する。
【００９７】
このように、（５−２）の場合では、異常が発生しておらず正常に動作している増幅器７ａからの出力（出力ラインＬ３からの出力）は、バンドパスフィルタ１０に入力される。一方、異常が発生している増幅器８ａからの出力（出力ラインＬ４からの出力）は、バンドパスフィルタ１０に入力されることなく、ダミー抵抗２３を介して消費される。また、（５−２）の場合では、正常に動作している増幅器５ａからの出力（出力ラインＬ１からの出力）は、切替ポートＡと、切替ポートＢとを介して合成器２１に入力され、正常に動作している増幅器６ａからの出力（出力ラインＬ２からの出力）は、切替ポートＣと、切替ポートＤとを介して合成器２１に入力される。そして、合成器２１からの出力は、切替ポートＥと、切替ポートＦとを介してバンドパスフィルタ９に入力される。
【００９８】
なお、図２４に示すように、（５−２）の場合における第２切替部３０の各切替ポートＭ〜Ｐの接続関係は、上記図１、図５および図６に示した（１）の場合と同様であるため、ここでは説明を省略する。
【００９９】
以上のように、（５−２）の場合では、入力信号Ｘ１は、分配器３により分配され、分配された２個の入力信号Ｘ１は、それぞれ、出力ラインＬ１およびＬ２と増幅器５ａおよび６ａとを経由して合成器２１に入力され、合成器２１により１つの信号として合成された後に、バンドパスフィルタ９から出力信号Ｙ１として出力される。
【０１００】
また、（５−２）の場合では、入力信号Ｘ２は、分配器４により分配され、分配された入力信号Ｘ２は、異常が発生した増幅器８ａを経由することなく、正常に動作している増幅器７ａを経由してバンドパスフィルタ１０に入力され、出力信号Ｙ２として出力される。
【０１０１】
次に、図２７を参照して、実施形態による第１切替部２０および第２切替部３０がシステムコントローラ１１の制御に基づいて自動で切り替わる場合にシステムコントローラ１１により実行される処理フローについて説明する。
【０１０２】
図２７に示すように、システムコントローラ１１は、まず、ステップＳ１において、各増幅器５ａ、６ａ、７ａおよび８ａの異常を検知する。より具体的には、システムコントローラ１１は、各増幅器５ａ、６ａ、７ａおよび８ａに対応するコントローラ５ｂ、６ｂ、７ｂおよび８ｂから、各増幅器５ａ、６ａ、７ａおよび８ａに異常が発生したか否かの通知を受信する。そして、ステップＳ２に処理が進む。
【０１０３】
次に、ステップＳ２において、システムコントローラ１１は、上記ステップＳ１の検知結果に応じて出力ラインＬ１〜Ｌ４を切り替える。より具体的には、システムコントローラ１１は、上記ステップＳ１の検知結果に基づいて、各増幅器５ａ、６ａ、７ａおよび８ａの異常発生状況が上記（１）〜（５）のいずれの場合に該当するかを判断し、判断結果に応じて、第１切替部２０の切替器４０ａ〜４０ｉと、第２切替部３０の切替器４０ｊとを制御する。そして、処理が終了する。
【０１０４】
以上説明したように、実施形態による送信システム１００は、次のような第１切替部２０および第２切替部３０を備える。第１切替部２０および第２切替部３０は、入力信号Ｘ１に対応する２個の出力ラインＬ１およびＬ２上にそれぞれ設けられた２個の第１増幅部５および６に異常が発生した場合（上記（２）の場合）に、入力信号Ｘ１が、入力信号Ｘ２に対応する１個の出力ラインＬ３上に設けられた第２増幅部７を介してバンドパスフィルタ９に入力されるように、出力ラインＬ１〜Ｌ４を切り替えることが可能なように構成されている。また、第１切替部２０および第２切替部３０は、入力信号Ｘ２に対応する２個の出力ラインＬ３およびＬ４上にそれぞれ設けられた２個の第２増幅部７および８に異常が発生した場合（上記（３）の場合）に、入力信号Ｘ２が、入力信号Ｘ１に対応する１個の出力ラインＬ２上に設けられた第１増幅部６を介してバンドパスフィルタ１０に入力されるように、出力ラインＬ１〜Ｌ４を切り替えることが可能なように構成されている。
【０１０５】
実施形態では、上記のように構成されていることによって、入力信号Ｘ１に対応する出力信号Ｙ１を出力するための構成（第１増幅部５および６）に異常が発生した場合でも、入力信号Ｘ２に対応する出力信号Ｙ２を出力するための構成を利用して、出力信号Ｙ１を出力することができる。同様に、実施形態では、上記のように構成されていることによって、入力信号Ｘ２に対応する出力信号Ｙ２を出力するための構成（第１増幅部７および８）に異常が発生した場合でも、入力信号Ｘ１に対応する出力信号Ｙ１を出力するための構成を利用して、出力信号Ｙ２を出力することができる。この結果、通常は使用されない予備の構成を設けることなく、異常発生時に出力信号Ｙ１およびＹ２の両方の出力を確保することができるので、より簡素な構成で冗長性を確保することができる。
【０１０６】
また、実施形態による送信システム１００は、上記のように、４個の増幅部（第１増幅部５および６と第２増幅部７および８）と、バンドパスフィルタ９および１０との間に設けられた第１切替部２０と、分配部３および４と第１増幅部６および第２増幅部７との間に設けられた第２切替部３０との２種類の切替部を備える。第１切替部２０は、第１増幅部５および６に異常が発生した場合に第２増幅部７からの出力がバンドパスフィルタ９に入力され、第２増幅部７および８に異常が発生した場合に第１増幅部６からの出力がバンドパスフィルタ１０に入力されるように出力ラインＬ１〜Ｌ４を切り替えることが可能なように構成されている。第２切替部３０は、第１増幅部５および６に異常が発生した場合に入力信号Ｘ１が第２増幅部７に入力され、第２増幅部７および８に異常が発生した場合に入力信号Ｘ２が第１増幅部６に入力されるように出力ラインＬ２およびＬ３を切り替えることが可能なように構成されている。これにより、第１切替部２０と第２切替部３０との２種類の切替部を用いて出力ラインＬ１〜Ｌ４を切り替えることにより、容易に、異常発生時に出力信号Ｙ１およびＹ２の両方の出力を確保することができる。
【０１０７】
また、実施形態による第１切替部２０および第２切替部３０は、上記のように、第１増幅部５または６の一方に異常が発生した場合（上記（４）の場合）に、異常が発生した第１増幅部５または６からの出力がバンドパスフィルタ９に入力されずに、異常が発生していない第１増幅部６または５からの出力がバンドパスフィルタ１０に入力されるように出力ラインＬ１〜Ｌ４を切り替えることが可能なように構成されている。さらに、第１切替部２０および第２切替部３０は、第２増幅部７または８に異常が発生した場合（上記（５の場合）に、異常が発生した第２増幅部７または８からの出力がバンドパスフィルタ１０に入力されずに、異常が発生していない第２増幅部８または７からの出力がバンドパスフィルタ１０に入力されるように出力ラインＬ１〜Ｌ４を切り替えることが可能なように構成されている。これにより、第１増幅部５および６の一方が正常に動作している場合には、第２増幅部７および８を利用することなく、すなわち出力信号Ｙ２の出力を低下させることなく、第１増幅部５および６のうちの正常に動作している方を利用して、出力信号Ｙ１を出力することができる。同様に、第２増幅部７および８の一方が正常に動作している場合には、第１増幅部５および６を利用することなく、すなわち出力信号Ｙ１の出力を低下させることなく、第２増幅部７および８のうちの正常に動作している方を利用して出力信号Ｙ２を出力することができる。
【０１０８】
また、実施形態による送信システム１００は、次のようなコントローラ５ｂ、６ｂ、７ｂおよび８ｂと、システムコントローラ１１とを備える。コントローラ５ｂ、６ｂ、７ｂおよび８ｂは、それぞれ、増幅器５ａ、６ａ、７ａおよび８ａに異常が発生したか否かを検知するように構成されている。システムコントローラ１１は、コントローラ５ｂ、６ｂ、７ｂおよび８ｂの検知結果に基づいて第１切替部２０および第２切替部３０を制御することにより、第１増幅部５および６に異常が発生した場合（上記（２）の場合）に入力信号Ｘ１が第２増幅部７を介してバンドパスフィルタ９に入力され、第２増幅部７および８に異常が発生した場合（上記（３）の場合）に入力信号Ｘ２が第１増幅部６を介してバンドパスフィルタ１０に入力されるように、出力ラインＬ１〜Ｌ４を切り替えるように構成されている。これにより、出力ラインＬ１〜Ｌ４の切替をシステムコントローラ１１の自動制御に基づいて容易に行うことができる。
【０１０９】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【符号の説明】
【０１１０】
１、２  エキサイタ（入力部）
３、４  分配器（分配部）
５ａ、６ａ、７ａ、８ａ  増幅器（増幅部）
５ｂ、６ｂ、７ｂ、８ｂ  コントローラ（検知部）
９、１０  バンドパスフィルタ（出力部）
１１  システムコントローラ（制御部）
２０  第１切替部
３０  第２切替部
１００  送信システム
Ｌ１、Ｌ２、Ｌ３、Ｌ４  出力ライン
【図１】
2015231122.tif 000003
【図２】
2015231122.tif 000004
【図３】
2015231122.tif 000005
【図４】
2015231122.tif 000006
【図５】
2015231122.tif 000007
【図６】
2015231122.tif 000008
【図７】
2015231122.tif 000009
【図８】
2015231122.tif 000010
【図９】
2015231122.tif 000011
【図１０】
2015231122.tif 000012
【図１１】
2015231122.tif 000013
【図１２】
2015231122.tif 000014
【図１３】
2015231122.tif 000015
【図１４】
2015231122.tif 000016
【図１５】
2015231122.tif 000017
【図１６】
2015231122.tif 000018
【図１７】
2015231122.tif 000019
【図１８】
2015231122.tif 000020
【図１９】
2015231122.tif 000021
【図２０】
2015231122.tif 000022
【図２１】
2015231122.tif 000023
【図２２】
2015231122.tif 000024
【図２３】
2015231122.tif 000025
【図２４】
2015231122.tif 000026
【図２５】
2015231122.tif 000027
【図２６】
2015231122.tif 000028
【図２７】
2015231122.tif 000029